(57)【特許請求の範囲】
【請求項１】
一枚のシートの中央にタテスリット５を設けて、その両側に、左右一対のしおり本体１，２を設け、その上側にタテスリット５と同一方向の山折り線６を挟んで、左右一対の折り片３、４を設け、前記左右一対のしおり本体１，２は、スリット５沿いにバインダーを通す穴８を有し、前記左しおり本体１と左折り片３の間及び、右しおり本体２と右折り片４の間には、ほぼ平行の２本のヨコ谷折り線７を設け、前記ヨコ谷折り線は、シートの内側から外側へ向かうにつれ、わずかに上方に傾斜していることを特徴とするしおり。
【請求項２】
一枚のシートの中央にタテスリット１５を設け、その両側に、左右一対のしおり本体１１，１２を設け、その上側にタテスリット１５と同一方向の山折り線１６を挟んで、左右一対の上折り片１３、１４を設け、前記左しおり本体１１と左折り片１３の間及び、右しおり本体１２と右折り片１４の間には、ほぼ平行の２本のヨコ谷折り線１７を設け、前記ヨコ谷折り線１７は、シートの内側から外側へ向かうにつれ、わずかに上方に傾斜しており、前記左しおり本体１１は、左側に左折挟み片１８を、下側に左下折挟み片２０をそれぞれ連接し、前記右しおり本体１２は、右側に右折挟み片１９を、下側に右下折り挟み片２１をそれぞれ連接していることを特徴とするしおり。
【発明の詳細な説明】
【０００１】
【発明の属する技術分野】
この発明は、手帳または本を開いた時、手帳又は本の間からはなれて起立し、閉じる時、手帳又は本の間に挟まれるしおりに関するものである。
【０００２】
【従来の技術】
従来のしおりは、手で挟むタイプのものが一般的である。
【０００３】
【発明が解決しようとする課題】
これには、次のような欠点があった。
（イ）手で挟むという手間があり、時間を必要とした。
（ロ）固定されてなく、しおりがなくなることがあった。
（ハ）意識的に挟むと言う動作が必要なため、途中で見ている人が眠ってしまったりして忘れてしまうと、元のページに戻れないことがある。
この発明は、このような欠点を解決することができるしおりを提供することを目的とする。
【０００４】
【課題を解決するための手段】
この発明が提供するしおりは、次の（１）及び（２）に記載のものである。
（１）一枚のシートの中央にタテスリット５を設けて、その両側に、左右一対のしおり本体１，２を設け、その上側にタテスリット５と同一方向の山折り線６を挟んで、左右一対の折り片３、４を設け、前記左右一対のしおり本体１，２は、スリット５沿いにバインダーを通す穴８を有し、前記左しおり本体１と左折り片３の間及び、右しおり本体２と右折り片４の間には、ほぼ平行の２本のヨコ谷折り線７を設け、前記ヨコ谷折り線７は、シートの内側から外側へ向かうにつれ、わずかに上方に傾斜していることを特徴とするしおり（以下第１のしおりという）。
（２）一枚のシートの中央にタテスリット１５を設け、その両側に、左右一対のしおり本体１１，１２を設け、その上側にタテスリット１５と同一方向の山折り線１６を挟んで、左右一対の上折り片１３、１４を設け、前記左しおり本体１１と左折り片１３の間及び右しおり本体１２と右折り片１４の間には、ほぼ平行の２本ヨコ谷折り線１７を設け、前記ヨコ谷折り線１７は、シートの内側から外側へ向かうにつれ、わずかに上方に傾斜しており、前記左しおり本体１１は、左側に左折挟み片１８を、下側に左下折挟み片２０をそれぞれ連接し、前記右しおり本体１２は、右側に右折挟み片１９を、下側に右下折り挟み片２１をそれぞれ連接していることを特徴とするしおり（以下第２のしおりという）。
【０００５】
【発明の実施の形態】
以下、本発明の実施の形態を実施例によって説明する。
【実施例１】
図１及び，図２は手帳に使用する第１のしおりの実施例の平面図及び、斜視図である。
実施例１のしおりは、一枚のシート（四角い紙又は、プラスティック）の中央にタテスリット５を設けて、その両側に左右一対のしおり本体１，２を設け、その上側にタテスリット５と同一方向の山折り線６を挟んで、左右一対の折り片３、４を設け、前記左右一対のしおり本体１，２は、スリット５沿いにバインダーを通す穴８を有し、前記左しおり本体１と左折り片３の間及び、右しおり本体２と右折り片４の間には、ほぼ平行の２本のヨコ谷折り線７を設け、前記ヨコ谷折り７線は、シートの内側から外側へ向かうにつれ、わずかに上方に傾斜していることを特徴とする。このしおりを手帳に取り付け、図２のように手帳を開くと、左折り片３、右折り片４は、実線位置から鎖線位置にのびて、開かれる事により、その時見ているルーズリーフ全体を見ることができる。またその反対に、手帳を閉じると、左折り片３、右折り片４は、鎖線位置から実線位置に倒れて、閉じることにより、その時見ているルーズリーフ内に挟まる。
実施例１のしおりは、以上のような構造となっているので、これを手帳に取り付ける時は、図２に示すように、まず左右しおり本体１，２を、手帳のバインダーＢに穴８をはめる。次いでルーズリーフＲをバインダーＢで綴じる。しかるのち左折り片３と右折り片４を、その時にこの取り付け状態で、いま開いておきたいページに谷折り線７で折り曲げて挟む。
【実施例２】
図３は本に使用する第２のしおりの実施例の平面図である。
実施例２のしおりは、一枚のシートの中央にタテスリット１５を設け、その両側に、左右一対のしおり本体１１，１２を設け、その上側にタテスリット１５と同一方向の山折り線１６を挟んで、左右一対の上折り片１３、１４を設け、前記左しおり本体１１と左折り片１３の間及び、右しおり本体１２と右折り片１４の間には、ほぼ平行の２のヨコ谷折り線１７を設け、前記ヨコ谷折り線はシートの内側から外側へ向かうにつれ、わずかに上方に傾斜しており、前記左しおり本体１１は、左折挟み片１８と左下折挟み片２０を有し、前記右しおり本体１２は、右折挟み片１９と右下折挟み片２１を有していることを特徴とする。このしおりを使用すれば、本を開くと、左折り片１３、右折り片１４は、本のページ内から本ページ外にのびて、開かれる事により、その時見ているページ全体を見ることができる。またその反対に本を閉じると、左折り片１３、右折り片１４は、本のページ外から本ページ内に倒れて、その時見ている本ページ内に挟まる。
実施例２のしおりは、以上のような構造となっているので、これを本に取り付ける時は、図示しないが、左折り片１３しおり本体１１を、本の表紙となるように付け、しおり本体１２の、右折り片１４を裏表紙となるよう付ける。
【発明の効果】
以上に説明したように、この発明によれば、上述のような構成としたので次の効果を奏する。
（１）挟むという操作がなくなった為、眠ってしまっても、あわてて閉じても、左右の折り片しおりが、そのページに挟むことができる。
（２）手帳又は本を開いている時には、左折り片３、もしくは、１３，右折り片４もしくは１４が、谷折り７又は１７・山折り６又は１６の効果で頁から起き上がる事により、その使用に際して支障をきたす事がなくなる。
（３）固定している為、紛失する恐れがなくなる。
【図面の簡単な説明】
【図１】実施例１のしおりの平面図である。
【図２】実施例１のしおりの使用状態を示す斜視図である。
【図３】実施例２のしおりの平面図である。
【符号の説明】
１、左しおり本体
２、右しおり本体
３、左折り片本体
４、右折り片本体
５、スリット
６、山折り線
７、谷折り線
８、穴本体
Ｂ、バインダー
Ｔ、手帳
Ｒ、ルーズリーフ
１１、左しおり本体
１２、右しおり本体
１３、左折り片本体
１４、右折り片本体
１５、スリット
１６、山折り線
１７、谷折り線
１８、左折り挟み片本体
１９、右折り挟み片本体
２０、左下折り片本体
２１、右下折り片本体
２２、谷折り線
【図１】
0003757401.tif 000002
【図２】
0003757401.tif 000003
【図３】
0003757401.tif 000004